(57)【要約】【課題】  複合機における原稿の読み取りおよび画像の保存の途中で可搬メモリが取り外された後に、元の複合機とネットワーク接続された別の複合機に可搬メモリを接続し、画像の保存を再開できるようにすることを目的とする。【解決手段】  複合機２０１は原稿読み取りの指示を受け取った後、可搬メモリ２０３が取り外されても、原稿の読み取りと変換、および画像ファイルのＨＤＤ２０１１への保存は中断せず、引き続き行う。さらに、画像ファイルの記憶領域２０３１への保存中に可搬メモリ２０３の取り外しが行われると、処理を中断する。そののちに複合機２０２に可搬メモリ２０３が接続されると、複合機２０２は、可搬メモリ２０３に保存されている情報を頼りに、複合機２０１に一時保存された画像ファイルのデータを取り寄せて可搬メモリ２０３に保存する。【選択図】  図２
2010219901.tif 000002
【特許請求の範囲】
【請求項１】
原稿を読み取る読取手段と
データを保存する保存手段と
可搬記憶装置に接続しデータの読み取りと保存を行う可搬記憶アクセス手段と
前記読取手段で読み取った原稿を画像ファイルに変換し、前記保存手段に保存する画像ファイル一時保存手段と
前記画像ファイル一時保存手段で保存した画像ファイルを前記可搬記憶アクセス手段に接続されている可搬記憶装置に保存する画像ファイル保存手段と
前記保存手段に、前記可搬記憶アクセス手段に接続されている可搬記憶装置の識別情報を前記画像ファイル一時保存手段で保存した画像ファイルと対応づけて保存する識別情報保存手段と
前記可搬記憶アクセス手段に接続されている可搬記憶装置に、前記画像ファイル一時保存手段で保存された画像ファイルの送信を要求するための送信要求先のアドレスを、前記画像ファイル保存手段で保存した画像ファイルに対応づけて保存するアドレス保存手段と
前記可搬記憶アクセス手段に接続されている可搬記憶装置が取り外された時に、前記画像ファイル保存手段による画像ファイルの保存を中断する保存中断手段と
前記画像ファイル保存手段による画像の保存が中断されることなく完了したときに、前記識別情報保存手段で保存した識別情報と、前記アドレス保存手段で保存したアドレスを削除する保存完了時削除手段と
前記可搬記憶アクセス手段に可搬記憶装置が取り付けられた時に、その可搬記憶装置に前記アドレス保存手段によりアドレスが保存されているかを調べ、保存されていた場合に当該アドレスに対して画像ファイルの送信を要求する送信要求手段と
前記送信要求手段において前記可搬記憶アクセス手段に接続されている可搬記憶装置の識別情報も送る識別情報送信手段と
前記送信要求手段による画像ファイルの送信の要求を受け取る送信要求受取手段と
前記送信要求受取手段において前記識別情報送信手段で送られた可搬記憶装置の識別情報も受け取る識別情報受信手段と
識別情報受信手段によって受け取った可搬記憶装置の識別情報が前記識別情報保存手段によって保存されているかを調べ、保存されていれば、前記識別情報保存手段によって可搬記憶装置の識別情報に対応づけられ、前記画像ファイル一時保存手段で保存した画像ファイルを特定する画像ファイル特定手段と
前記画像ファイル特定手段で特定した画像ファイルを前記送信要求受取手段で受け取った送信要求を行った送信元の画像処理装置に送信する画像ファイル送信手段と
前記画像ファイル送信手段によって送信されてきた画像ファイルを受信し、前記可搬記憶アクセス手段に接続されている可搬記憶装置に前期画像ファイル保存手段で保存された画像ファイルに対して追加保存する、画像ファイル受信保存手段と
を有することを特徴とする画像処理装置。
【請求項２】
前記識別情報保存手段で識別情報を保存するときに、当該識別情報が保存されるごとにカウントアップする処理番号を前記保存手段により当該識別情報とそれに対応づく画像ファイルに対応づけて保存する、第一の処理番号保存手段と
前記処理番号保存手段で保存した処理番号を、前記可搬記憶アクセス手段に接続された可搬記憶装置に、前記アドレス保存手段で保存した前記画像ファイル一時保存手段で保存された画像ファイルの送信を要求するための送信要求先のアドレスとそれに対応づく画像ファイルに対応づけて保存する、第二の処理番号保存手段と
前記識別情報送信手段で識別情報を送るときに、当該識別情報に対応づいており、前記第一の処理番号保存手段で前記保存手段に保存された処理番号も送る処理番号送信手段と
前記処理番号送信手段によって送信された処理番号を受信する処理番号受信手段と
前記画像ファイル特定手段で画像ファイルを特定するときに、可搬記憶装置の識別情報だけではなく前記処理番号受信手段で受信した処理番号とも対応づいている画像ファイルを特定する処理番号対応画像ファイル特定手段と
を有することを特徴とする、請求項１に記載の画像処理装置。
【発明の詳細な説明】
【技術分野】
【０００１】
本発明は可搬メモリに画像ファイルを保存するための、ネットワークに接続された画像処理装置に関するものである。
【背景技術】
【０００２】
近年の機械製品の多機能化の潮流に従い、印刷装置や複写機も多機能化が進行し、文書の印刷、原稿読み取り、複写、保管、ＦＡＸ送信などの多種の機能を備えた複合機として市場に進出している。その複合機には可搬メモリの接続機能も備えたものがあり、原稿を読み取って作成した画像をこの可搬メモリに保存することも可能となっている。しかし、可搬メモリはその可搬性を以って利便性が求められているために、複合機からの取り外しが容易であり、原稿を読み取って作成した画像を保存している最中にも取り外されてしまう可能性があった。通常、原稿の読み取りは保存先を指定した後に開始されるため、保存先である可搬メモリが取り外されると保存先が無くなるので、原稿の読み取り中でも画像の保存中でも処理はエラーとなり、再度保存するには原稿読み取りからやり直さなければならなかった。
【０００３】
その問題を鑑みて、原稿の読み取りおよび画像の保存の、中断と再開を可能とする技術があった（例えば、特許文献１参照。）。すなわち、処理の途中で可搬メモリが取り外されても処理を中断し、ふたたび可搬メモリが接続されたところで処理を再開する。このとき、可搬メモリへの画像データの保存が途中であっても再開時にはその続きから保存されるので、保存した分のデータを無駄にせずに済んだ。
【先行技術文献】
【特許文献】
【０００４】
【特許文献１】特開２００３−２９８７９８号公報
【発明の概要】
【発明が解決しようとする課題】
【０００５】
しかしながら、画像データは原稿を読み取られた複合機で作成されるため、画像の保存を再開するには、ユーザは原稿を読み取った複合機まで戻って可搬メモリを接続しなければならなかった。
【課題を解決するための手段】
【０００６】
本発明の目的を達成するために、本発明の画像処理装置（２０１、２０２）は以下の構成を備える。
【０００７】
原稿を読み取る読取手段（１０９）と
データを保存する保存手段（１０３）と
可搬記憶装置に接続しデータの読み取りと保存を行う可搬記憶アクセス手段（１１４）と
前記読取手段で読み取った原稿を画像ファイルに変換し、前記保存手段に保存する画像ファイル一時保存手段（Ｓ４０６、Ｓ４０７）と
前記画像ファイル一時保存手段で保存した画像ファイルを前記可搬記憶アクセス手段に接続されている可搬記憶装置に保存する画像ファイル保存手段（Ｓ４１０）と
前記保存手段に、前記可搬記憶アクセス手段に接続されている可搬記憶装置の識別情報を前記画像ファイル一時保存手段で保存した画像ファイルと対応づけて保存する識別情報保存手段（Ｓ４０４）と
前記可搬記憶アクセス手段に接続されている可搬記憶装置に、前記画像ファイル一時保存手段で保存された画像ファイルの送信を要求するための送信要求先のアドレスを、前記画像ファイル保存手段で保存した画像ファイルに対応づけて保存するアドレス保存手段（Ｓ４０５）と
前記可搬記憶アクセス手段に接続されている可搬記憶装置が取り外された時に、前記画像ファイル保存手段による画像ファイルの保存を中断する保存中断手段（Ｓ４０９）と
前記画像ファイル保存手段による画像の保存が中断されることなく完了したときに、前記識別情報保存手段で保存した識別情報と、前記アドレス保存手段で保存したアドレスを削除する保存完了時削除手段（Ｓ４１２）と
前記可搬記憶アクセス手段に可搬記憶装置が取り付けられた時に、その可搬記憶装置に前記アドレス保存手段によりアドレスが保存されているかを調べ、保存されていた場合に当該アドレスに対して画像ファイルの送信を要求する送信要求手段（Ｓ６０２、Ｓ６０３、Ｓ６０６）と
前記送信要求手段において前記可搬記憶アクセス手段に接続されている可搬記憶装置の識別情報も送る識別情報送信手段（Ｓ６０６）と
前記送信要求手段による画像ファイルの送信の要求を受け取る送信要求受取手段（Ｓ６１１）と
前記送信要求受取手段において前記識別情報送信手段で送られた可搬記憶装置の識別情報も受け取る識別情報受信手段（Ｓ６１１）と
識別情報受信手段によって受け取った可搬記憶装置の識別情報が前記識別情報保存手段によって保存されているかを調べ、保存されていれば、前記識別情報保存手段によって可搬記憶装置の識別情報に対応づけられ、前記画像ファイル一時保存手段で保存した画像ファイルを特定する画像ファイル特定手段（Ｓ６１２）と
前記画像ファイル特定手段で特定した画像ファイルを前記送信要求受取手段で受け取った送信要求を行った送信元の画像処理装置に送信する画像ファイル送信手段（Ｓ６１３）と
前記画像ファイル送信手段によって送信されてきた画像ファイルを受信し、前記可搬記憶アクセス手段に接続されている可搬記憶装置に前期画像ファイル保存手段で保存された画像ファイルに対して追加保存する、画像ファイル受信保存手段（Ｓ６０７）と
を有することを特徴とする。
【発明の効果】
【０００８】
本発明によって、複合機における原稿の読み取りおよび画像の保存の途中で可搬メモリが取り外された後に、ユーザは元の複合機とネットワーク接続された別の複合機に可搬メモリを接続し、画像の保存を再開できる。
【図面の簡単な説明】
【０００９】
【図１】本発明の実施例に係る画像処理装置である複合機の概略構成を示すブロック図である。
【図２】本発明の実施例の全体構成を示す図である。
【図３】複合機２０１で原稿を読み取る指示をユーザから受け取るための画面である。
【図４】複合機２０１における原稿２０５の読み取り保存の処理手順を示すフローチャートである。
【図５】複合機２０２で画像ファイル保存の再開指示をユーザから受け取るための画面である。
【図６】図４で中断した画像ファイルの保存を再開する処理の手順を示すフローチャートである。
【発明を実施するための形態】
【００１０】
以下、本発明を実施するための最良の形態について図面を用いて説明する。
【実施例１】
【００１１】
図１は、本発明の実施例に係る画像処理装置である複合機の概略構成を示すブロック図である。
【００１２】
ＲＯＭ（Ｒｅａｄ  Ｏｎｌｙ  Ｍｅｍｏｒｙ）１０２内、またはＨＤＤ（Ｈａｒｄ  Ｄｉｓｋ  Ｄｒｉｖｅ）１０３には制御プログラムが記憶されている。中央処理装置ＣＰＵ（Ｃｅｎｔｒａｌ  Ｐｒｏｃｅｓｓｉｎｇ  Ｕｎｉｔ）１０１がこの制御プログラムに従って動く。ＲＡＭ（Ｒａｎｄｏｍ  Ａｃｃｅｓｓ  Ｍｅｍｏｒｙ）１０４はシステムバス１１５に接続される装置各部の駆動条件や管理データ等の各種情報を記憶するとともに動作する上で必要なデータを記憶する。ＣＰＵ１０１はＲＡＭ１０４を利用して、後述する各種機能と共に本発明の各種処理を実行する。
【００１３】
表示部１０５は、駆動条件、装置状態、あるいは入力情報などの各種情報を表示する。
【００１４】
操作部１０６はユーザによる設定や命令等の入力操作を行うためのテンキーやスタートキー等のキー、または一部表示部１０５内にあるタッチパネル等である。
【００１５】
通信制御部１０７は無線や有線のネットワークを経由して、イントラネットまたはインターネットに接続して、画像データを含む文書データや制御コマンドの送受信を実行する。
【００１６】
読み取り装置１０９は、送信、複写または保存する原稿に照射した光の画像に応じた反射光を光電変換して画像データを読み取り、印刷制御部１０８を介して画像データを送信、複写、または保存する。
【００１７】
印刷装置１１０は、読み取り装置１０９またはクライアントコンピュータなどの情報発生源より受信した画像データ、もしくは印字データを、印刷制御部を介して受け取り可視像として記録紙に形成し記録紙を排出する。
【００１８】
印刷装置１１０は、電子写真記録方式以外にも、例えばインクジェット方式、サーマルヘッド方式、ドットインパクト方式など、その他何であってもよい。
【００１９】
画像メモリ１１１は、読み取りまたは受信した画像データ、もしくは印字データを一時的に蓄積する。機器や状態によってはＨＤＤ１０３やＲＡＭ１０４内にあってもよい。
【００２０】
画像処理部１１２は、送信する画像データをデータ圧縮して符号化する。また、受信した画像データを伸張して復号化したり、受信した印字データを画像データに変換したりする。また、保存する画像データを適切なまたはユーザから指定されたフォーマット（例えばＰＤＦフォーマット等）にフォーマット変換する。また、読み取り装置１０９の光学応答特性やセンダのばらつき等に応じた画像補正処理を行う。また、ユーザが操作部１０６から入力操作する画像の変倍処理等の画像加工処理を行う。また、記録装置１１０の書き込み特性等に適した画像データにする画像最適化処理などを要求に応じて行う。
【００２１】
外部機器接続部１１４は、可搬メモリなどの外部機器を接続し、Ｉ／Ｏ制御部１１３を介して文書データや制御コマンドなどを送受信する。
【００２２】
システムバス１１５は、ＣＰＵ１０１、ＲＯＭ１０２、ＨＤＤ１０３、ＲＡＭ１０４、表示部１０５、操作部１０６、通信制御部１０７、印刷制御部１０８、画像メモリ１１１、画像処理部１１２、およびＩ／Ｏ制御部１１３を接続している。
【００２３】
したがって、本複合機は、読み取り画像データを伝送するファクシミリ通信や、読み取り画像データを記録出力する複写機能を備えている。さらに、受信画像データをファクシミリ受信する受信印刷機能と、クライアントコンピュータから画像データを受信して印刷する印刷機能を備えている。これらの機能により複写機としてだけではなく、ファクシミリ装置、プリンタ装置、スキャナ装置としても利用することが可能になっている。
【００２４】
図２は、本発明の実施例の全体構成を示す図である。
【００２５】
本実施例は、ネットワーク２０４に接続されている複合機２０１および２０２、複合機２０１および２０２に接続可能な可搬メモリ２０３、複合機２０１にて読み取られる原稿２０５によって構成される。また複合機２０１に搭載されているＨＤＤ１０３は、図２ではＨＤＤ２０１１として記載している。また可搬メモリ２０３には、記憶領域２０３１が搭載されている。
【００２６】
２０１は、図１で示した構成を持つ複合機であり、通信制御部１０７を通じてネットワーク２０４に接続され、読み取り装置１０９を通じて原稿２０５を読み取り、外部接続機器１１４を通じて可搬メモリ２０３が接続される。読み取り装置１０９に原稿２０５が設置され、操作部１０６で読み取りが指示されると、読み取り装置１０９は原稿２０５を読み取り、印刷制御部１０８を通じて画像処理部１１２に転送する。画像処理部１１２は画像データを受け取ると、フォーマットを変換し画像ファイル２０１２を作成してＨＤＤ２０１１に保存する。そののち、ＣＰＵ１０１は、画像ファイル２０１２を、Ｉ／Ｏ制御部と外部機器接続部１１４を通じて可搬メモリ２０３に画像ファイル２０３２として保存する。
【００２７】
２０１１は、複合機２０１に搭載されたＨＤＤであり、図１で示したＨＤＤ１０３に相当する。
【００２８】
２０１２は、ＨＤＤ２０１１に保存されている画像ファイルである。
【００２９】
２０１３は、ＨＤＤ２０１１に保存されている、画像ファイル送信管理テーブルである。
【００３０】
２０１４は、画像ファイル送信管理テーブル２０１３のカラムであり、画像ファイルの送信先の識別情報である。
【００３１】
２０１５は、画像ファイル送信管理テーブル２０１３のカラムであり、ひとつの送信先に複数の画像ファイルを送信する場合にそれぞれのファイルを識別するための処理番号である。
【００３２】
２０１６は、画像ファイル送信管理テーブル２０１３のカラムであり、ＨＤＤ２０１１内のどこに画像ファイルを一時保存するかのパスである。
【００３３】
本実施例では、画像ファイル送信管理テーブル２０１３はレコードを１つ保持する。レコードの内容は、送信先識別情報２０１４として可搬メモリ２０３のＩＤ、送信先識別情報２０１４が同じレコードを区別するためにカウントアップする処理番号、画像ファイル一時保存パス２０１６として画像ファイル２０１２のパス、のセットである。
【００３４】
２０２は、図１で示した構成を持つ複合機であり、通信制御部１０７を通じてネットワーク２０４に接続されている。
【００３５】
２０３は、複合機２０１および２０２に接続可能な可搬メモリであり、記憶領域２０３１が搭載されている。
【００３６】
２０３１は、可搬メモリ２０３に搭載された記憶領域である。
【００３７】
２０３２は、記憶領域２０３１に保存された画像ファイルである。画像ファイル２０３２の保存途中で可変メモリ２０３が複合機２０１から取り外されると、画像ファイル２０３２の保存は完了せず、データの一部だけが残る。
【００３８】
２０３３は、記憶領域２０３１に保存されている、画像ファイル受信管理テーブルである。
【００３９】
２０３４は、画像ファイル受信管理テーブル２０３３のカラムであり、画像ファイルの受信先のアドレスである。
【００４０】
２０３５は、画像ファイル受信管理テーブル２０３３のカラムであり、ひとつの受信先から複数の画像ファイルを受信する場合にそれぞれのファイルを識別するための処理番号である。
【００４１】
２０３６は、画像ファイル受信管理テーブル２０３３のカラムであり、記憶領域２０３１内のどこに画像ファイルを保存しているかのパスである。
【００４２】
本実施例では、画像ファイル受信管理テーブル２０３３はレコードを１つ保持する。レコードの内容は、受信先アドレス２０３４として複合機２０１のアドレス、受信先アドレス２０３４が同じレコードを区別するためにカウントアップする処理番号、画像ファイル保存先パス２０３６として画像ファイル２０３２のパス、のセットである。
【００４３】
２０４は、複合機２０１および２０２を接続しているネットワークである。
【００４４】
２０５は、複合機２０１で読み取られる原稿である。
【００４５】
図３は、複合機２０１に搭載されている表示部１０５および操作部１０６において、複合機２０１で原稿を読み取る指示をユーザから受け取るための画面である。
【００４６】
３０１は、複合機２０１における、図１の表示部１０５および操作部１０６に相当する操作パネルであり、ユーザへの情報表示と、ユーザからの操作支持受付の機能を兼ねる。
【００４７】
３０２は、操作パネル３０１に表示された、原稿読み取りとその設定の指示をユーザから受け取るための画面である。
【００４８】
３０３、３０４、３０５、３０６は、画面３０２に表示された原稿読み取りの設定であり、ユーザからの設定変更指示の受付を兼ねる。設定の内容については、本提案と関係が無いので説明を割愛する。
【００４９】
３０７は、画面３０２に表示された、原稿読み取りにおいて生成した画像ファイルの保存先であり、ユーザからの保存先変更指示の受付を兼ねる。
【００５０】
３０８は、画面３０２に表示された、原稿読み取りにおいて生成した画像ファイルの保存時のファイル名であり、ユーザからのファイル名変更指示の受付を兼ねる。
【００５１】
３０９は、画面３０２に表示された、原稿読み取りのキャンセルボタンである。ユーザからの原稿読み取りのキャンセル指示を受け付ける。
【００５２】
３１０は、画面３０２に表示された、原稿読み取りの実行ボタンである。ユーザからの原稿読み取りの実行指示を受け付ける。
【００５３】
図４は、実施例で複合機２０１における原稿２０５の読み取り保存の処理手順を示すフローチャートである。
【００５４】
前提として、複合機２０１において、読み取り装置１０９には原稿２０５が設置され、外部機器接続部１１４には可搬メモリ２０３が接続されているものとする。
【００５５】
複合機２０１のＣＰＵ１０１は、ＲＯＭ１０２もしくはＨＤＤ１０３から制御プログラムを読み出して、ＲＡＭ１０４を利用し以下の手順で処理を行う。
【００５６】
Ｓ４０１において、画面３０２にて、原稿読み取りの設定変更指示を受け取る。このとき、変更指示される設定には、原稿を読み取って得た画像データを変換して得た画像ファイルを、どこに保存するのかの保存先パスと、画像ファイルのファイル名の設定も含まれる。また、保存先パスは、可搬メモリ２０３の記憶領域２０３１内のパスである。
【００５７】
Ｓ４０２において、画面３０２にて、原稿読み取りの実行指示を受け取る。
【００５８】
Ｓ４０３において、画像ファイルの一時保存先のパスを決定する。一時保存先のパスは、ＨＤＤ２０１１内のパスである。
【００５９】
Ｓ４０４において、画像ファイル送信管理テーブル２０１３に、以下の３つの情報のセットから成るレコードを追加する。１つ目の情報は、送信先識別情報２０１４であり、可搬メモリ２０３のＩＤである。２つ目の情報は、処理番号２０１５であり、送信先識別情報２０１４が同じレコードを区別するためにカウントアップする処理番号である。３つ目の情報は、画像ファイル一時保存パス２０１６であり、Ｓ４０３で決定した画像ファイルの一時保存先のパスである。
【００６０】
Ｓ４０５において、画像ファイル受信管理テーブル２０３３に、以下の３つの情報のセットから成るレコードを追加する。１つ目の情報は、受信先アドレス２０３４であり、複合機２０１のアドレスである。２つ目の情報は、処理番号２０３５であり、Ｓ４０４で保存した処理番号である。３つ目の情報は、画像ファイル保存先パス２０３６であり、Ｓ４０１で決定した画像ファイルの保存先のパスである。
【００６１】
Ｓ４０６において、読み取り装置１０９に設置された原稿２０５を読み取り、画像データを印刷制御部１０８を通じて画像処理部１１２に転送する。
【００６２】
Ｓ４０７において、Ｓ４０６で転送された画像データを、画像処理部１１２でフォーマットを変換して画像ファイルを作成し、Ｓ４０３で決定した画像ファイルの一時保存先のパスに画像ファイル２０１２として保存する。
【００６３】
Ｓ４０８において、記憶領域２０３１に、Ｓ４０１で設定された画像ファイルの保存先およびファイル名で、画像ファイル２０３２を新規作成する。
【００６４】
Ｓ４０９において、可搬メモリ２０３が外部機器接続部１１４から既に取り外されているかを確認する。もし取り外されていれば、処理を終了する。取り外されていなければ、Ｓ４１０に遷移する。
【００６５】
Ｓ４１０において、ＨＤＤ２０１１に保存されている画像ファイル２０１２のデータを読み取り、記憶領域２０３１に転送し、Ｓ４０１で決定した画像ファイルの保存先とファイル名で、画像ファイル２０３２として保存する。データの転送と保存はデータ量を限定して行う。
【００６６】
Ｓ４１１において、画像ファイル２０１２のデータがすべて画像ファイル２０３２として記憶領域２０３１に保存されたかを確認する。もし保存が完了していなければ、Ｓ４０９に戻ってデータの転送を継続する。保存が完了していれば、Ｓ４１２に遷移する。
【００６７】
Ｓ４１２において、Ｓ４０４とＳ４０５で、画像ファイル送信管理テーブル２０１３と画像ファイル受信管理テーブル２０３３に保存したレコードを削除する。
【００６８】
処理を終了する。
【００６９】
以上の処理手順により、複合機２０１は原稿読み取りの指示を受け取った後、複合機２０１と可搬メモリ２０３に、他複合機での画像ファイル保存の再開に必要な情報を保存する。さらに可搬メモリ２０３が取り外されても、原稿の読み取りと変換、および画像ファイルのＨＤＤ２０１１への保存は中断せず、引き続き行う。さらに、画像ファイルの記憶領域２０３１への保存中に可搬メモリ２０３の取り外しが行われると、処理を中断する。
【００７０】
図５は、複合機２０１に搭載されている表示部１０５および操作部１０６において、複合機２０２で画像ファイル保存の再開指示をユーザから受け取るための画面であり、図３と同じ操作パネル３０１上に表示される。
【００７１】
５０１は、操作パネル３０１に表示された、画像ファイル保存の再開指示をユーザから受け取るための画面である。
【００７２】
５０２は、画面５０１に表示された、保存を再開する対象の画像ファイルの保存先である。
【００７３】
５０３は、画面５０１に表示された、保存を再開する対象の画像ファイルの保存時のファイル名である。
【００７４】
５０４は、画面５０１に表示された、画像ファイル保存再開のキャンセルボタンである。ユーザからの画像ファイル保存のキャンセル指示を受け付ける。
【００７５】
５０５は、画面５０１に表示された、画像ファイル保存再開の実行ボタンである。ユーザからの画像ファイル保存の実行指示を受け付ける。
【００７６】
図６は、実施例で複合機２０２に可搬メモリ２０３が接続され、複合機２０１から画像ファイルのデータを取り寄せて、図４で中断した画像ファイルの保存を再開する処理の手順を示すフローチャートである。
【００７７】
複合機２０２のＣＰＵ１０１は、ＲＯＭ１０２もしくはＨＤＤ１０３から制御プログラムを読み出して、ＲＡＭ１０４を利用し以下の手順で処理を行う。
【００７８】
Ｓ６０１において、外部機器接続部１１４に可搬メモリ２０３が挿入される。
【００７９】
Ｓ６０２において、可搬メモリ２０３の記憶領域２０３１に保存されている画像ファイル受信管理テーブル２０３３にレコードが存在するかを確認する。存在すればＳ６０３に遷移し、存在しなければＳ６１０に遷移する。
【００８０】
Ｓ６０３において、可搬メモリ２０３の記憶領域２０３１に保存されている画像ファイル受信管理テーブル２０３３のレコードを読み、受信先アドレス２０３４と、処理番号２０３５と、画像ファイル保存先パス２０３６のセットを取得する。
【００８１】
Ｓ６０４において、Ｓ６０３で取得した画像ファイル保存先パス２０３６に存在する画像ファイル２０３２を記憶領域２０３１から読み出し、画像ファイル２０３２のファイルサイズを取得する。
【００８２】
Ｓ６０５において、画面５０１にて、画像ファイル保存の再開指示を受け取る。
【００８３】
Ｓ６０６において、Ｓ６０３で取得した受信先アドレス２０３４である複合機２０１のアドレスに対して、通信制御部１０７およびネットワーク２０４を通じて、画像ファイルの取得を要求する。このとき、Ｓ６０１で取得した可搬メモリ２０３のＩＤと、Ｓ６０３で取得した処理番号２０３５と、Ｓ６０４で取得した画像ファイル２０３２のファイルサイズも送る。
【００８４】
Ｓ６０７において、複合機２０１から、通信制御部１０７およびネットワーク２０４を通じて、画像ファイル２０１２のデータを受け取り、記憶領域２０３１に保存されている画像ファイル２０３２の末尾に追加保存する。
【００８５】
Ｓ６０８において、Ｓ６０７で画像ファイル２０１２のデータをすべて受け取り、画像ファイル２０３２の保存が完了する。
【００８６】
Ｓ６０９において、記憶領域２０３１に保存されている、画像ファイル受信管理テーブル２０３３のレコードを削除する。
【００８７】
Ｓ６１０において、可搬メモリ２０３が外部機器接続部１１４から取り外される。
【００８８】
処理を終了する。
【００８９】
複合機２０１のＣＰＵ１０１は、ＲＯＭ１０２もしくはＨＤＤ１０３から制御プログラムを読み出して、ＲＡＭ１０４を利用し以下の手順で処理を行う。
【００９０】
Ｓ６１１において、複合機２０２から、通信制御部１０７およびネットワーク２０４を通じて、画像ファイルの取得要求を受け取る。このとき、可搬メモリ２０３のＩＤと、処理番号２０３５と、画像ファイル２０３２のファイルサイズも受け取る。
【００９１】
Ｓ６１２において、ＨＤＤ２０１１に保存されている画像ファイル管理テーブル２０１３を検索し、Ｓ６１１で受け取った可搬メモリ２０３のＩＤおよび処理番号２０３５と、送信先識別情報２０１４および処理番号２０１５が一致するレコードを読み取る。さらに、読み取ったレコードの画像ファイル一時保存パス２０１６を取得する。
【００９２】
Ｓ６１３において、Ｓ６１２で取得した画像ファイル一時保存パス２０１６に存在する画像ファイル２０１２をＨＤＤ２０１１から読み出す。そして、Ｓ６１１で受け取った画像ファイル２０３２のファイルサイズの位置以降のデータを、通信制御部１０７およびネットワーク２０４を通じて、複合機２０２に送信する。
【００９３】
Ｓ６１４において、画像ファイル２０１２のデータすべての送信が完了する。
【００９４】
Ｓ６１５において、ＨＤＤ２０１１に保存されている、画像ファイル受信管理テーブル２０１３のレコードを削除する。
【００９５】
Ｓ６１６において、ＨＤＤ２０１１に保存されている、画像ファイル２０１２を削除する。
【００９６】
処理を終了する。
【００９７】
以上により、図４の処理手順で複合機２０１から可搬メモリ２０３が取り外されて画像ファイルの保存が中断されたのちに、複合機２０２に可搬メモリ２０３が接続されると、複合機２０２は画像ファイルの保存を再開する。このとき、複合機２０２は、可搬メモリ２０３に保存されている情報を頼りに、図４で複合機２０１に一時保存された画像ファイルのデータを取り寄せて可搬メモリ２０３に保存する。
【符号の説明】
【００９８】
２０１  複合機
２０１１  複合機２０１に搭載されたＨＤＤ
２０１２  ＨＤＤ２０１１に保存されている画像ファイル
２０１３  ＨＤＤ２０１１に保存されている画像ファイル送信管理テーブル
２０１４  画像ファイルの送信先の識別情報
２０１５  複数の画像ファイルをそれぞれ識別するための処理番号
２０１６  ＨＤＤ２０１１内のどこに画像ファイルを一時保存するかのパス
２０２  複合機
２０３  複合機２０１および２０２に接続可能な可搬メモリ
２０３１  可搬メモリ２０３に搭載された記憶領域
２０３２  記憶領域２０３１に保存された画像ファイル
２０３３  記憶領域２０３１に保存されている画像ファイル受信管理テーブル
２０３４  画像ファイルの受信先のアドレス
２０３５  複数の画像ファイルをそれぞれ識別するための処理番号
２０３６  記憶領域２０３１内のどこに画像ファイルを保存しているかのパス
２０４  複合機２０１および２０２を接続しているネットワーク
２０５  複合機２０１で読み取られる原稿
【図１】
2010219901.tif 000003
【図２】
2010219901.tif 000004
【図３】
2010219901.tif 000005
【図４】
2010219901.tif 000006
【図５】
2010219901.tif 000007
【図６】
2010219901.tif 000008